(57)【要約】【課題】  母親の手からキャリアを保持する取手が外れてしまうことが無く、安全にキャリアを保持できる保持手段を実現すること。【解決手段】  幼児を寝かせた状態で移動するためのベビーキャリアにおいて、幼児を寝かせることができ、上部が解放された軽量で一定度の強度を有する容器と、該容器の長手方向の左右のいずれかの端部または両方に、手を通して該容器を支持するための円筒体が設けられていることを特徴とするベビーキャリアである。【選択図】図１
2009273855.tif 000002
【特許請求の範囲】
【請求項１】
幼児を寝かせた状態で移動するためのベビーキャリアにおいて、
幼児を寝かせることができ、上部が解放された軽量で一定度の強度を有する容器と、該容器の長手方向の左右のいずれかの端部または両方に、手を通して該容器を支持するための円筒体が設けられていることを特徴とするベビーキャリア。
【請求項２】
前記の円筒体は、手で握って支えるための握り部が設けられていることを特徴とする請求項１に記載のベビーキャリア。
【請求項３】
前記の容器には、肩から下げて支えるための肩ベルトが設けられており、また、腰に巻いて支えるための腰ベルトが設けられていることを特徴とする請求項１又は請求項２に記載のベビーキャリア。
【請求項４】
前記の容器の底部の４隅には、突出する脚部が設けられていることを特徴とする請求項１から請求項３までのいずれかの項に記載のベビーキャリア。
【発明の詳細な説明】
【技術分野】
【０００１】  本発明は、乳幼児を運搬するためのベビーキャリアに関し、特に運搬中の乳児を十分に保護して、安全に使用することが出来るベビーキャリアに関する。
【背景技術】
【０００２】  ベビーキャリアは、すやすやと眠っている乳児を起こさないで運ぶのに使用されるものであり、お母さんが乳児を連れて買物に行く場合等によく使用されるものである。【０００３】  このようなベビーキャリアは、そのキャリア本体を、藤、トウモロコシの皮、ヤシの実繊維、あるいは合成樹脂等によって乳児を寝かせられる程度の大きさのものに形成したものであり、このキャリア本体に形成した２本の取手を持って運搬されるものが市販されている。【０００４】  ところが、ベビーキャリアの取手の２本とも持ったつもりでも、その内の１本が手から外れてしまう可能性がある。
この種のベビーキャリアは、２本の取手の両方を持ったときにはじめて全体の安定を図ることができ、安全に運搬することが可能となるのであるが、もし、そのうちの１本が手から外れてしまうと、中の乳児はこのベビーキャリアから落下してしまうこととなる。【０００５】  また、一般に、乳児は頭部が全体に比して大きく、頭部の方が重い体型となっているため、乳児を入れたキャリア本体の重心は、乳児の頭部の方に遍在することになり、取手の２本とも持ったとしても、キャリア本体が乳児の頭部の方に傾き、乳児が不安定な状態で運ばれることになる場合がある。【０００６】  それだけでなく、場合によっては、ベビーキャリアが大きく傾斜して乳児がキャリア本体から滑り落ちてしまうことも考えられる。【０００７】  このような場合を想定して、より安全なベビーキャリアが考案されている。例えば、特開平１１−７６００６号公報では、キャリア本体内に、乳児に掛けた布団やタオルケット等の上から乳児のキャリア本体に対する保持を行う保持ベルトを取り付けたものである。
【特許文献１】特開平１１−７６００６号公報
【発明の開示】
【発明が解決しようとする課題】
【０００８】  上記の公報では、キャリア本体から乳幼児がすべり落ちる心配はなくなるが、このベビーキャリアを持っている母親の手から２本の取手が外れてしまった場合については考慮されていない。【０００９】  このような、落下事故は、キャリア内の乳幼児が不安定なために落下してしまう場合のほかに、母親の手から取手が外れてしまうことも大きな原因となっている。【００１０】  本発明の解決しようとする問題点は、上記のような問題に鑑みてなされたものであり、母親の手からキャリアを保持する取手が外れてしまうことが無く、安全にキャリアを保持できる保持手段を実現することである。
【課題を解決するための手段】
【００１１】  本発明は、上記の問題点を解決するために、
請求項１では、幼児を寝かせた状態で移動するためのベビーキャリアにおいて、
幼児を寝かせることができ、上部が解放された軽量で一定度の強度を有する容器と、該容器の長手方向の左右のいずれかの端部または両方に、手を通して該容器を支持するための円筒体が設けられていることを特徴とするベビーキャリアとしたものである。【００１２】  該容器は、軽量であり、かつ一定の強度を有するものが良く、ポリプロピレンやグラスファイバーなどの硬質樹脂材からなる容器でも良い。転んでも簡単に壊れないものとする。【００１３】  該円筒体は、手を通して支持できる大きさの円筒体であればよく、容器と同様に一定の強度を必要とする。硬質樹脂材などでも良い。該円筒体は、本体容器に取り付けや接着により固定するものでも良く、本体容器と一体に成形したものでも良い。【００１４】  また、本体容器の上部に着脱可能な日除けを設けても良い。【００１５】  また、本体容器の開放されている上面を前面を覆う、通気性を有する網による蓋状カバーを設けても良い。これにより、幼児が飛び出してしまうことが無く安全性が高まる。【００１６】  また、通気性と軽量のため、本体容器の底面と側面に無数の孔を開けても良い。【００１７】  請求項２では、前記の円筒体は、手で握って支えるための握り部が設けられていることを特徴とするベビーキャリアとしたものである。【００１８】  請求項３では、前記の容器には、肩から下げて支えるための肩ベルトが設けられており、また、腰に巻いて支えるための腰ベルトが設けられていることを特徴とする請求項１又は請求項２に記載のベビーキャリアとしたものである。【００１９】  外出時に転んだり不足の事故にあったりした時の予防の為に、着脱可能なヘッドとボディサポート用のヘッドベルトやボディベルトを備えると良い。【００２０】  請求項４では、前記の容器の底部の４隅には、突出する脚部が設けられていることを特徴とする請求項１から請求項３までのいずれかの項に記載のベビーキャリアとしたものである。【００２１】  この脚部により、外出時などに本体容器を屋外で地面に置くことができる。脚部は、本体容器を地面において安定するものであればいずれの形状でも良い。
【発明の効果】
【００２２】  本発明は以下の効果を奏する。【００２３】１）本体容器を安全、確実に保持できるため、幼児を安全に移動させることができる。【００２４】２）出かける時に、本体容器毎抱っこできるので、幼児の顔を見ながら歩くことができ、安心である。【００２５】３）抱っこして歩いているときに万一転んだ場合においても、幼児を安全に保護できる。【００２６】４）幼児を起こさずに、寝室から居間や食堂に移動させることができる。【００２７】５）食事時や居間でくつろいでいる時も常時傍における。【００２８】６）スーパーなどで買い物の時は、本体容器をカートに載せることができる。また、トイレに入るときも身近に置ける。【００２９】７）片手が不自由な方でも取り扱いが楽にできる。【００３０】８）抱っこしながらの授乳ができる。【００３１】９）容器底部に脚部があるので、いつでもどこでもオムツの交換ができる。
【発明を実施するための最良の形態】
【００３２】  本発明の一実施形態について図面を用いて説明する。【００３３】  図１は、本発明によるベビーキャリア実施例を示す該略図である。図２は、本体容器の長手方向側から見た正面図である。図３は、本体容器の短手方向から見た側面図である。【００３４】  本実施例によるベビーキャリアは、本体容器１と、その左右の側面の上部に、使用者が手を通して支えるための円筒状の支持体４が設けられている。また、該本体容器１には、使用者の肩に掛けて使用する肩ベルト５と、腰に巻いて使用する腰ベルトが取り付けられている。【００３５】  該本体容器１は、硬質樹脂製の容器を用いた。軽くて丈夫な素材であればいずれでも良く、グラスファイバー製や軽量金属製などでも良い。【００３６】  また、本体容器１の長手方向の側面の上端部は、図３に示すように、折り返し部２が設けられている。これにより、薄い素材でも十分な強度を確保できるものである。【００３７】  本体容器１の大きさは、幼児（０歳児）を寝かせることができるサイズであれば良く、例えば、長さが６５ｃｍ程度、幅が３５ｃｍ程度、高さが１７ｃｍ程度が好ましい。【００３８】  また、本体容器１の下部の四隅には、突出部を有する脚部３が設けられている。【００３９】  図３に示すように、肩ベルト５の取り付け部は、５−１、５−２に示すように、２箇所設け、取り付け位置を変更することで、前後どちら側からでも支えることができる。
同様に、腰ベルトの取り付け部も６−１と６−２の２箇所設けられている。【００４０】  前記の円筒状支持体４は、図４に示すように、その上部に握り部となる２箇所切り欠き部４−１、４−２が設けられており、各々外側部分にも切り抜き部４−３が設けられている。【００４１】  切り欠き部４−１、４−２は、使用者が円筒状支持体４内部に手を差し込み、本体容器１を支えるときに、この切り欠き部４−１または４−２から指を出し、握ることができるので、安全、確実に支えることができるものである。２箇所設けられているのは、前後いずれの方向から手を挿入しても同様に支えられるようにしたものである。【００４２】  また、円筒状支持体４を使わずに、左右の切抜き部４−３を手で支えることもできるようになっている。【００４３】  図５は、本発明によるベビーキャリアの使用例を示す図であり、（１）は、肩ベルト５を使用し、右手を円筒状支持体４に差し込んで切り欠き部４−１を握り、左手は本体容器１の折り返し部２を掴んで支えている状態を示す。【００４４】  このように、円筒状支持体４を使用すると、本体容器１を安全、確実に支えることができ、滑って本体容器を落としてしまうなどの事故の心配が無くなる。【００４５】  図５（２）は、腰ベルト６の使用状態を示す図であり、腰ベルト５を使用することにより、本体容器１が使用者の身体にしっかりと押し付けられて支えられるため、本体容器１の支持がより安定する。
【図面の簡単な説明】
【００４６】
【図１】本発明のベビーキャリアの実施例を示す概略図である。
【図２】本発明のベビーキャリアの正面図である。
【図３】本発明のベビーキャリアの側面図である。
【図４】本発明のベビーキャリアの円筒状支持体を示す概略図である。
【図５】本発明のベビーキャリアの使用状態を示す図である。
【符号の説明】
【００４７】  １  本体容器
２  折り返し部
３  脚部
４  円筒状支持体
５  肩ベルト
６  腰ベルト
【図１】
2009273855.tif 000003
【図２】
2009273855.tif 000004
【図３】
2009273855.tif 000005
【図４】
2009273855.tif 000006
【図５】
2009273855.tif 000007